(57)【要約】【課題】歯科実習時における技能の習得度や技能の評価を客観的に行うことができる、歯科実習装置を提供することを課題とする。【解決手段】本発明は、歯顎部を有する頭部模型５０と、頭部模型５０を取り付け可能な実習机１０とを備えた歯科実習装置１であって、頭部模型５０に設けられた、頭部模型５０の角度を検知可能なセンサ部と、歯科治療器具を載置すると共に、歯科治療器具の使用状態を検知可能な器具載置部１２と、頭部模型５０と実習者Ｈとを撮影可能なカメラ部２１，２２とを有すべく構成されていることを特徴としている。【選択図】図１
2010231167.tif 000002
【特許請求の範囲】
【請求項１】
歯顎部を有する頭部模型と、前記頭部模型を取り付け可能な被取付部とを備えた歯科実習装置であって、
前記頭部模型および前記被取付部の少なくとも一方に、前記頭部模型の角度を検知可能なセンサ部が設けられている
ことを特徴とする歯科実習装置。
【請求項２】
歯顎部を有する頭部模型と、前記頭部模型を取り付け可能な被取付部とを備えた歯科実習装置であって、
前記頭部模型および前記被取付部の少なくとも一方に設けられた、前記頭部模型の角度を検知可能なセンサ部と、
歯科治療器具を載置すると共に、前記歯科治療器具の使用状態を検知可能な器具載置部と、
前記頭部模型と実習者とを撮影可能なカメラ部とを有する
ことを特徴とする歯科実習装置。
【請求項３】
前記頭部模型および前記被取付部の少なくとも一方には、それぞれ異なる方向の角度を検知する複数のセンサ部が設けられている
請求項１または２に記載の歯科実習装置。
【請求項４】
前記頭部模型および前記被取付部の少なくとも一方には、前記頭部模型の回転角度を検知する第一センサ部と、前記頭部模型の上下角度を検知する第二センサ部とが設けられている
請求項１から３のいずれか１項に記載の歯科実習装置。
【請求項５】
前記センサ部として、角度センサおよび加速度センサの少なくとも一方が用いられる
請求項１から４のいずれか１項に記載の歯科実習装置。
【請求項６】
前記被取付部が、実習机、人体模型、あるいは人体模型を有する椅子である
請求項１から５のいずれか１項に記載の歯科実習装置。
【請求項７】
歯顎部を有する頭部模型と、前記頭部模型を取り付け可能な被取付部とを備えた歯科実習装置であって、
前記頭部模型および前記被取付部の少なくとも一方に、前記頭部模型における上顎部と床面との角度を検知可能な上顎角度センサ部と、
前記頭部模型の上顎部に対する下顎部の角度を検知可能な下顎角度センサ部とが設けられている
ことを特徴とする歯科実習装置。
【発明の詳細な説明】
【技術分野】
【０００１】
本発明は、歯科治療（例えば、スケーリング）の実習装置に関し、より具体的には、歯科治療の実習を行うと共に、その実習者の評価を適切に（客観的に）行うことが可能となる、歯科実習装置に関するものである。
【背景技術】
【０００２】
近年、歯科医学教育の改革に向けて新しい教育方法等が試みられており、教育の評価方法についても様々な手段が鑑みられている。このような状況において、特に、歯科実習における技能の習得度や技能の評価については、客観的な評価の実現が望まれている。
【０００３】
しかしながら、これまで、歯科実習時における評価は、主に教員の主観によって行われている。具体的には、学生（実習者）の行っている歯科実習を教員が見て回り、その教員が、歯科実習に関する主観的な確認評価を行っているのが現状である。つまり、歯科実習時における患者に対する学生のポジション、スケーラおよびワーキングエンドの選択、ミラーテクニック等の細部にわたる学生の行動等は、ほとんど記録に残されていない。したがって、殆どの場合、学生の歯科実習における技能の習得度や技能の評価（客観的評価）は、十分になされていない。
【０００４】
上述した状況の中、従来技術としては、撮像カメラを用いた歯科実習装置が知られている。（特許文献１参照）
【先行技術文献】
【特許文献】
【０００５】
【特許文献１】特開平６−９５５８８号公報
【発明の概要】
【発明が解決しようとする課題】
【０００６】
さて、上述したように、歯科実習における技能の習得度や技能の評価については、客観的な評価の実現が望まれているわけであるが、現在までのところ、客観的な評価を具体的に実現可能な方法および装置は、開示されていない。
【０００７】
例えば、歯科実習装置については、特許文献１に示すような構成のものが知られているが、このような歯科実習装置であっても、歯科実習における技能の習得度や技能の客観的な評価を実現するには至っていない。
【０００８】
そこで、本発明は、上記従来技術の問題を解決するためになされたものであって、歯科実習時における技能の習得度や技能の評価を客観的に行うことができる、歯科実習装置を提供することを課題とする。
【課題を解決するための手段】
【０００９】
本発明は、上記課題を解決するためになされたものであり、歯顎部を有する頭部模型と、前記頭部模型を取り付け可能な被取付部とを備えた歯科実習装置であって、前記頭部模型および前記被取付部の少なくとも一方に、前記頭部模型の角度を検知可能なセンサ部が設けられていることを特徴としている。
【００１０】
このような構成によれば、実習者が、前記頭部模型の前記歯顎部に対して治療行為を行う際において、前記センサ部からの検知信号を把握することによって、前記頭部模型および前記被取付部の少なくとも一方に関する角度（すなわち、治療行為を受ける患者の頭および身体の少なくとも一方に関する角度）の情報を適宜得ることができる。したがって、このような構成によれば、治療時における患者の適切な角度情報（患者の頭部等の適切な角度に関する情報等）と、実習時における前記検知信号（角度情報）とを比較検討することによって、歯科実習時における技能の習得度や技能の評価を客観的に行うことができる。
【００１１】
また、本発明は、上記課題を解決するためになされたものであり、歯顎部を有する頭部模型と、前記頭部模型を取り付け可能な被取付部とを備えた歯科実習装置であって、前記頭部模型および前記被取付部の少なくとも一方に設けられた、前記頭部模型の角度を検知可能なセンサ部と、歯科治療器具を載置すると共に、前記歯科治療器具の使用状態を検知可能な器具載置部と、前記頭部模型と実習者とを撮影可能なカメラ部とを有することを特徴としている。
【００１２】
このような構成によれば、実習者が、前記頭部模型の前記歯顎部に対して治療行為を行う際において、前記センサ部からの検知信号を把握することによって、前記頭部模型および前記被取付部の少なくとも一方に関する角度（すなわち、治療行為を受ける患者の頭および身体の少なくとも一方に関する角度）の情報を適宜得ることができる。したがって、このような構成によれば、治療時における患者の適切な角度情報（患者の頭部等の適切な角度に関する情報等）と、実習時における前記検知信号（前記頭部模型等の角度情報）とを比較検討することによって、歯科実習時における技能の習得度や技能の評価を客観的に行うことができる。
【００１３】
また、このような構成によれば、実習者が、前記頭部模型の前記歯顎部に対して治療行為を行う際において、前記器具載置部からの検知信号を把握することによって、実習者の使用している前記歯科治療器具に関する情報を適宜得ることができる。したがって、このような構成によれば、治療時における前記歯科治療器具の適切な使用情報（各種の治療時に使用すべき歯科治療器具に関する情報等）と、実習時における前記検知信号（前記器具載置部にて得られる使用器具情報）とを比較検討することによって、歯科実習時における技能の習得度や技能の評価を客観的に行うことができる。
【００１４】
さらに、このような構成によれば、前記頭部模型と実習者とを撮影可能なカメラ部を有するため、実習時あるいは実習後において、前記頭部模型に対する実習者の治療行為に関する評価を、画像情報に基づいて客観的に行うことができる。
【００１５】
上述したように、本発明にかかる実習装置は、前記頭部模型の角度を検知可能なセンサ部と、前記歯科治療器具の使用状態を検知可能な器具載置部と、前記頭部模型と実習者とを撮影可能なカメラ部とを有するため、前記頭部模型等の角度情報、前記器具載置部にて得られる使用器具情報、および実習時における画像情報を総合的に判断して、歯科実習時における技能の習得度や技能の評価を客観的に行うことができる。
【００１６】
さらに、本発明は、上記課題を解決するためになされたものであり、歯顎部を有する頭部模型と、前記頭部模型の近傍に配置された歯科治療器具と、前記頭部模型を取り付け可能な被取付部とを備えた歯科実習装置であって、前記頭部模型および前記被取付部の少なくとも一方に設けられた、前記頭部模型の角度を検知可能なセンサ部と、前記歯科治療器具を載置すると共に、前記歯科治療器具の使用状態を検知可能な器具載置部と、前記頭部模型と実習者とを撮影可能なカメラ部と、前記センサ部にて得られた前記頭部模型に関する角度情報、前記器具載置部にて得られた検知信号、および前記カメラ部にて得られた画像情報とに基づいて、実習者の評価を行うソフトウエアと、前記ソフトウエアがインストールされたコンピュータとを有することを特徴としている。
【００１７】
このような構成によれば、前記頭部模型の角度を検知可能なセンサ部と、前記歯科治療器具の使用状態を検知可能な器具載置部と、前記頭部模型と実習者とを撮影可能なカメラ部と、前記頭部模型に関する角度情報、前記器具載置部にて得られた検知信号、および前記カメラ部にて得られた画像情報とに基づいて実習者の評価を行うソフトウエアと、前記ソフトウエアがインストールされたコンピュータとを有するため、歯科実習時における技能の習得度や技能の評価を客観的に行うことができる。すなわち、本発明にかかる前記ソフトウエアは、治療時における患者の適切な角度情報（患者の頭部等の適切な角度に関する情報等）、および治療時における前記歯科治療器具の適切な使用情報（各種の治療時に使用すべき歯科治療器具に関する情報等）等と、歯科実習装置の構成要素から得られる各種の情報（前記頭部模型に関する角度情報、前記器具載置部にて得られた検知信号）とを比較検討することによって、歯科実習時における技能の習得度や技能の評価を客観的に行うことができるべく構成されている。
【００１８】
また、本発明にかかる歯科実習装置においては、前記頭部模型および前記被取付部の少なくとも一方には、それぞれ異なる方向の角度を検知する複数のセンサ部が設けられている構成が好ましい。
【００１９】
この好ましい構成によれば、角度を検知するセンサ部を複数設けることによって、比較的簡単な構成で、前記頭部模型および前記被取付部の少なくとも一方の傾き状態等を、客観的に判断することが可能となる。
【００２０】
さらに、本発明にかかる歯科実習装置においては、前記頭部模型および前記被取付部の少なくとも一方には、前記頭部模型の回転角度を検知する第一センサ部と、前記頭部模型の上下角度を検知する第二センサ部とが設けられている構成が好ましい。
【００２１】
この好ましい構成によれば、前記頭部模型の回転角度と前記頭部模型の上下角度とを、比較的簡単な構成に基づき、客観的に判断することが可能となる。
【００２２】
また、本発明にかかる歯科実習装置においては、前記センサ部として、角度センサおよび加速度センサの少なくとも一方が用いられる構成が好ましい。
【００２３】
さらに、本発明にかかる歯科実習装置においては、前記被取付部が、実習机、人体模型、あるいは人体模型を有する椅子である構成が好ましい。
【００２４】
また、本発明は、上記課題を解決するためになされたものであり、歯顎部を有する頭部模型と、前記頭部模型を取り付け可能な被取付部とを備えた歯科実習装置であって、前記頭部模型および前記被取付部の少なくとも一方に、前記頭部模型における上顎部（上顎部咬合面）と床面との角度を検知可能なセンサ部が設けられていることを特徴としている。
【００２５】
このような構成によれば、実習者が、前記頭部模型の前記歯顎部に対して治療行為を行う際において、前記センサ部からの検知信号を把握することによって、前記頭部模型における上顎部と床面との角度に関する情報を適宜得ることができる。つまり、このような構成によれば、前記センサ部によって、前記頭部模型における上顎部と床面との角度が検知可能であるため、前記頭部模型における上顎部と下顎部とが固定された構成である場合には、床面に対する上顎部の角度と共に、床面（あるいは上顎部）に対する下顎部の角度を得ることができる。
したがって、このような構成によれば、治療時における患者の適切な角度情報（患者の上顎部や下顎部の適切な角度に関する情報等）と、実習時における前記検知信号（上顎部や下顎部の角度情報）とを比較検討することによって、歯科実習時における技能の習得度や技能の評価を客観的に行うことができる。
【００２６】
さらに、本発明は、上記課題を解決するためになされたものであり、歯顎部を有する頭部模型と、前記頭部模型を取り付け可能な被取付部とを備えた歯科実習装置であって、前記頭部模型および前記被取付部の少なくとも一方に設けられた、前記頭部模型における上顎部（上顎部咬合面）と床面との角度を検知可能なセンサ部と、歯科治療器具を載置すると共に、前記歯科治療器具の使用状態を検知可能な器具載置部と、前記頭部模型と実習者とを撮影可能なカメラ部とを有することを特徴としている。
【００２７】
このような構成によれば、実習者が、前記頭部模型の前記歯顎部に対して治療行為を行う際において、前記センサ部からの検知信号を把握することによって、前記頭部模型における上顎部と床面との角度に関する情報を適宜得ることができる。つまり、このような構成によれば、前記センサ部によって、前記頭部模型における上顎部と床面との角度が検知可能であるため、前記頭部模型における上顎部と下顎部とが固定された構成である場合には、床面に対する上顎部の角度と共に、床面（あるいは上顎部）に対する下顎部の角度を得ることができる。したがって、このような構成によれば、治療時における患者の適切な角度情報（患者の上顎部や下顎部の適切な角度に関する情報等）と、実習時における前記検知信号（上顎部や下顎部の角度情報）とを比較検討することによって、歯科実習時における技能の習得度や技能の評価を客観的に行うことができる。
また、このような構成によれば、実習者が、前記頭部模型の前記歯顎部に対して治療行為を行う際において、前記器具載置部からの検知信号を把握することによって、実習者の使用している前記歯科治療器具に関する情報を適宜得ることができる。したがって、このような構成によれば、治療時における前記歯科治療器具の適切な使用情報（各種の治療時に使用すべき歯科治療器具に関する情報等）と、実習時における前記検知信号（前記器具載置部にて得られる使用器具情報）とを比較検討することによって、歯科実習時における技能の習得度や技能の評価を客観的に行うことができる。
さらに、このような構成によれば、前記頭部模型と実習者とを撮影可能なカメラ部を有するため、実習時あるいは実習後において、前記頭部模型に対する実習者の治療行為に関する評価を、画像情報に基づいて客観的に行うことができる。
上述したように、本発明にかかる実習装置は、前記頭部模型の角度を検知可能なセンサ部と、前記歯科治療器具の使用状態を検知可能な器具載置部と、前記頭部模型と実習者とを撮影可能なカメラ部とを有するため、前記頭部模型等の角度情報、前記器具載置部にて得られる使用器具情報、および実習時における画像情報を総合的に判断して、歯科実習時における技能の習得度や技能の評価を客観的に行うことができる。
【００２８】
また、本発明は、上記課題を解決するためになされたものであり、歯顎部を有する頭部模型と、前記頭部模型を取り付け可能な被取付部とを備えた歯科実習装置であって、前記頭部模型および前記被取付部の少なくとも一方に、前記頭部模型における上顎部（上顎部咬合面）と床面との角度を検知可能な上顎角度センサ部と、前記頭部模型の上顎部（上顎部咬合面）に対する下顎部（下顎部咬合面）の角度を検知可能な下顎角度センサ部とが設けられていることを特徴としている。
【００２９】
このような構成によれば、実習者が、前記頭部模型の前記歯顎部に対して治療行為を行う際において、前記センサ部からの検知信号を把握することによって、前記床面に対する前記上顎部の角度情報、および前記上顎部（あるいは前記床面）に対する下顎部の角度情報を適宜得ることができる。つまり、このような構成によれば、前記頭部模型における下顎部が可動可能な構成（すなわち、口の開閉が可能な構成）であっても、前記センサ部によって、前記頭部模型における上顎部および下顎部の角度情報を得ることができる。
したがって、このような構成によれば、治療時における患者の適切な角度情報（患者の上顎部および下顎部の適切な角度に関する情報等）と、実習時における前記検知信号（上顎部および下顎部の角度情報）とを比較検討することによって、歯科実習時における技能の習得度や技能の評価を客観的に行うことができる。
【００３０】
さらに、本発明は、上記課題を解決するためになされたものであり、歯顎部を有する頭部模型と、前記頭部模型を取り付け可能な被取付部とを備えた歯科実習装置であって、前記頭部模型および前記被取付部の少なくとも一方に設けられた、前記頭部模型における上顎部（上顎部咬合面）と床面との角度を検知可能な上顎角度センサ部と、前記頭部模型の上顎部（上顎部咬合面）に対する下顎部（下顎部咬合面）の角度を検知可能な下顎角度センサ部と、歯科治療器具を載置すると共に、前記歯科治療器具の使用状態を検知可能な器具載置部と、前記頭部模型と実習者とを撮影可能なカメラ部とを有することを特徴としている。
【００３１】
このような構成によれば、実習者が、前記頭部模型の前記歯顎部に対して治療行為を行う際において、前記センサ部からの検知信号を把握することによって、前記床面に対する前記上顎部の角度情報、および前記上顎部（あるいは前記床面）に対する下顎部の角度情報を適宜得ることができる。つまり、このような構成によれば、前記頭部模型における下顎部が可動可能な構成（すなわち、口の開閉が可能な構成）であっても、前記センサ部によって、前記頭部模型における上顎部および下顎部の角度情報を得ることができる。したがって、このような構成によれば、治療時における患者の適切な角度情報（患者の上顎部および下顎部の適切な角度に関する情報等）と、実習時における前記検知信号（上顎部および下顎部の角度情報）とを比較検討することによって、歯科実習時における技能の習得度や技能の評価を客観的に行うことができる。
また、このような構成によれば、実習者が、前記頭部模型の前記歯顎部に対して治療行為を行う際において、前記器具載置部からの検知信号を把握することによって、実習者の使用している前記歯科治療器具に関する情報を適宜得ることができる。したがって、このような構成によれば、治療時における前記歯科治療器具の適切な使用情報（各種の治療時に使用すべき歯科治療器具に関する情報等）と、実習時における前記検知信号（前記器具載置部にて得られる使用器具情報）とを比較検討することによって、歯科実習時における技能の習得度や技能の評価を客観的に行うことができる。
さらに、このような構成によれば、前記頭部模型と実習者とを撮影可能なカメラ部を有するため、実習時あるいは実習後において、前記頭部模型に対する実習者の治療行為に関する評価を、画像情報に基づいて客観的に行うことができる。
上述したように、本発明にかかる実習装置は、前記頭部模型の上顎部および下顎部の角度を検知可能なセンサ部と、前記歯科治療器具の使用状態を検知可能な器具載置部と、前記頭部模型と実習者とを撮影可能なカメラ部とを有するため、前記頭部模型等の角度情報、前記器具載置部にて得られる使用器具情報、および実習時における画像情報を総合的に判断して、歯科実習時における技能の習得度や技能の評価を客観的に行うことができる。
【００３２】
また、本発明にかかる歯科実習装置においては、ＰＣモニタ部が設けられており、前記ＰＣモニタ部に、実習時における情報（実習者の現在の情報）および実習時における模範情報（適切な治療を行う際における適切な状態を示す情報）の少なくとも一方が表示されるような構成が好ましい。この際、表示される「情報」としては、例えば、頭部角度（上顎部角度あるいは下顎部角度等）情報、実習者の姿勢情報、使用スケーラ種類情報等があげられる。
【００３３】
この好ましい構成によれば、ＰＣモニタ部を適切な位置に配置することによって、実習者が特に不自然な姿勢をとることなく、種々の情報（自分自身の実習時の情報、模範情報等）を確認することが可能となる。したがって、より良い実習効果を実現することができる。
【発明の効果】
【００３４】
本発明によれば、歯科実習時における技能の習得度や技能の評価を客観的に行うことが可能な、歯科実習装置を得ることができる。
【図面の簡単な説明】
【００３５】
【図１】本発明の第一実施形態にかかる歯科実習装置の概略側面図を示したものである。
【図２】図１に示した歯科実習装置のII−II線矢視図（歯科実習装置の概略上面図）を示したものである。
【図３】本発明の実施形態にかかる歯科実習装置を構成する頭部模型の概略図であって、図３（ａ）は頭部模型の上面図を示し、図３（ｂ）は頭部模型の右部側面図を示し、図３（ｃ）は頭部模型の頭頂部側面図を示している。
【図４】本発明の第二実施形態にかかる歯科実習装置を構成する頭部模型の概略図（頭部模型の右部側面図）を示したものである。
【図５】本発明の第三実施形態にかかる歯科実習装置を構成する頭部模型の概略図（頭部模型の右部側面図）を示したものである。
【図６】本発明の他の実施形態にかかる歯科実習装置の概略側面図を示したものである。
【発明を実施するための形態】
【００３６】
以下、図面に基づき、本発明の実施形態について説明する。なお、「実習者」とは、実習者、実習者の手元、および実習者の有する歯科治療器具を含む概念である。
【００３７】
＜第一実施形態＞
図１は、本発明の第一実施形態にかかる歯科実習装置の概略側面図を示したものである。また、図２は、図１に示した歯科実習装置のII−II線矢視図（歯科実習装置の概略上面図）を示したものである。さらに、図３は、本発明の実施形態にかかる歯科実習装置を構成する頭部模型の概略図であって、図３（ａ）は頭部模型の上面図を示し、図３（ｂ）は頭部模型の右部側面図を示し、図３（ｃ）は頭部模型の頭頂部側面図を示している。
【００３８】
図１および図２に示すように、本実施形態にかかる歯科実習装置１は、頭部模型５０と、この頭部模型５０を取り付け可能な実習机１０（本発明の「被取付部」に相当）とを用いて構成されている。また、本実施形態にかかる歯科実習装置１には、実習机１０上に設けられた第一カメラ部２１と、実習机１０上の支持棒部１１に設けられた第二カメラ部２２とが設けられている。さらに、実習机１０上には、歯科治療器具（スケーラー等）が載置されたトレー等から成る器具載置部１２が設けられている。また、実習机１０には、実習時に実習机１０に設けられた頭部模型５０の高さを調整するための（上下動させるための）ペダル部１３が設けられている。さらに、本実施形態にかかる歯科実習装置１は、各種のセンサ等からの情報に基づいて、歯科実習時における技能の習得度や技能の評価を客観的に行うことが可能である、評価手段３０を有している。この評価手段３０は、例えば、パーソナルコンピュータ（ＰＣ）を用いて構成されており、より具体的には、ＰＣ本体部３１、ＰＣモニタ部３２、およびＰＣキーボード部３３を用いて構成されている。また、この実習机１０の近傍には、実習者Ｈが実習時に着席するための実習椅子１４が設けられている。
【００３９】
本実施形態にかかる歯科実習装置１を構成する実習机１０（被取付部）は、上述したように、頭部模型５０を取り付け可能に構成されており、この頭部模型５０が取り付けられた上面板１０Ａは、ペダル部１３の操作によって上下動可能に構成されている。このペダル部１３の操作によって制御される頭部模型５０の高さ方向情報は、随時、上述した評価手段３０（を構成するＰＣ本体部３１）に送られ、実習者Ｈの客観的評価を行うために用いられる。
【００４０】
なお、ここでは、実習机１０の上面板１０Ａを上下動させることによって、頭部模型５０の高さを調整する場合について説明したが、本発明はこの構成に限定されず、必要に応じて、ペダル部１３の操作によって、頭部模型５０のみあるいは頭部模型５０を取り付けたその周辺部位（上面板１０Ａの一部）が上下動するような構成としてもよい。このような構成の場合においても、ペダル部１３の操作によって制御される頭部模型５０の高さ方向情報は、ＰＣ本体部３１に送られ、実習者Ｈの客観的評価を行うために用いられる。
【００４１】
また、本実施形態にかかる歯科実習装置１を構成する器具載置部１２は、実習机１０上に設けられており、この器具載置部１２には、実習時（治療時）に使用される歯科治療器具（スケーラー等）が予め定められた位置に載置されている。より具体的には、この器具載置部１２は、その内部が複数の箇所に分割して構成されており、個々の歯科治療器具が、それぞれ分割された箇所に、規則正しく載置されている。また、各分割箇所には、歯科治療器具が載置されているか否かに応じてＯＮ／ＯＦＦに作動するセンサ部（器具載置センサ部）が設けられている。
【００４２】
つまり、本実施形態にかかる歯科実習装置１は、器具載置部１２の所定箇所に所定の歯科治療器具が載置されていれば「ＯＦＦ」信号を評価手段３０（ＰＣ本体部３１）に送り、器具載置部１２の所定箇所から所定の歯科治療器具が取り出されれば「ＯＮ」信号を評価手段３０に送るべく構成されている（この構成は、器具載置部１２の所定箇所から所定の歯科治療器具が取り出された場合にのみ、「ＯＮ」信号を評価手段３０に送る構成としてもよい。）。このような構成に基づき、本実施形態にかかる歯科実習装置１によれば、実習生Ｈが使用している歯科治療器具に関する情報を適切に収集することができる。また、本実施形態においては、器具載置部１２から歯科治療器具を取り出すと、その取り出された歯科治療器具に関する番号等がＰＣモニタ部３２にて確認可能なように構成されている。例えば、歯科治療器具に関する番号等が表示されたり、配列された番号等の中から使用中の歯科治療器具に関する番号等が点灯したりすべく構成されている。
【００４３】
本実施形態にかかる歯科実習装置１は、上述したように、二つのカメラ部（第一カメラ部２１、第二カメラ部２２）を有し、第一カメラ部２１は、実習机１０の上面板１０Ａ上に設けられ、第二カメラ部２２は、実習机１０の支持棒部１１に設けられる。ここで、第一カメラ部２１は、実習者Ｈの正面から、頭部模型５０と、頭部模型５０に対する治療行為を行う実習者Ｈの手元等とが撮影可能な位置に設けられている。また、第二カメラ部２２は、実習者Ｈの上方から、頭部模型５０と、頭部模型５０に対する治療行為を行う実習者Ｈの手元等とが撮影可能な位置に設けられている。
【００４４】
本実施形態にかかるカメラ部２１，２２は、一般的なビデオカメラやＣＣＤカメラ等、何等かの構成に限定されるものではなく、撮影された映像を電気信号に変換可能なカメラであれば、どのようなカメラでも使用可能である。本実施形態において、これらのカメラ部２１，２２にて得られた映像情報は、ＰＣ本体部３１に送られ、実習者Ｈの客観的評価を行うために用いられる。また、このカメラ部２１，２２にて得られる映像情報は、ＰＣモニタ部３２にて視聴可能であると共に、適宜録画される。
【００４５】
本実施形態にかかる歯科実習装置１を構成する評価手段３０は、上述したように、パーソナルコンピュータ（ＰＣ）を用いて構成されており、より具体的には、ＰＣ本体部３１、ＰＣモニタ部３２、およびＰＣキーボード部３３を有している。このＰＣ本体部３１には、歯科実習装置１を構成する種々の構成要素から得られる全ての検知信号が送信されるように構成されており、これらの検知信号に基づいて、歯科実習時における技能の習得度や技能の評価が客観的に行われる。
【００４６】
本実施形態にかかるＰＣ本体部３１には、歯科実習時における技能の習得度や技能の評価を客観的に行うためのソフトウエアがインストールされており、実習者Ｈの実習時に得られる各種の検知信号とこのソフトウエアとによって、具体的な判断が行われる。つまり、このソフトウエアは、治療時における患者の適切な角度情報（患者の頭部等の適切な角度に関する情報等）、および治療時における歯科治療器具の適切な使用情報（各種の治療時に使用すべき歯科治療器具に関する情報等）等と、歯科実習装置１の構成要素から得られる各種の情報等（頭部模型５０に関する角度情報、器具載置部１２にて得られた検知信号等）とを比較検討することによって、歯科実習時における技能の習得度や技能の評価を客観的に行うことができるべく構成されている。
【００４７】
本実施形態にかかる歯科実習装置１を構成する頭部模型５０は、例えば、図３に示すべく構成されている。図３は、本発明の実施形態にかかる歯科実習装置を構成する頭部模型５０の概略図であって、図３（ａ）は頭部模型５０の上面図を示し、図３（ｂ）は頭部模型５０の右部側面図を示し、図３（ｃ）は頭部模型５０の頭頂部側面図を示している。
【００４８】
図３に示すように、本実施形態にかかる頭部模型５０は、取付手段６０を介して、実習机１０（の上面板１０Ａ）に取り付けられている。この取付手段６０は、上面板１０Ａに取り付け可能な第一取付部６１と、この第一取付部６１に固着された第二取付部６２と、この第二取付部６２に対して二方向に回動可能に構成された第三取付部６３と、この第三取付部６３と頭部模型５０とを連結可能に構成された第四取付部６４とを用いて構成されている。
【００４９】
本実施形態にかかる頭部模型５０は、歯顎部５１を有しており、上述した取付手段６０を介して、上面板１０Ａに対し、上下方向（図３（ｂ）のＺ１方向およびＺ２方向）と左右回転方向（図３（ｃ）のＲ１方向およびＲ２方向）とに回動可能に構成されている。頭部模型５０がこのように可動可能なのは、取付手段６０を構成する第三取付部６３が、第二取付部６２に対して二方向に回動し得るからである。具体的には、第三取付部６３の端部（第二取付部６２側の端部）が球形を有し、この球形端部６３Ａを支点として第三取付部６３が上下方向に回動すると共に、第三取付部６３の中心軸（長手方向中心軸）を中心として第三取付部６３が回動すべく、第三取付部６３（を構成する球形端部６３Ａ）が第二取付部６２に挟持されているからである。
【００５０】
また、本実施形態にかかる頭部模型５０の下面側には、第一センサ部７１と第二センサ部７２とが設けられている。これらのセンサ部７１，７２は、角度センサを用いて構成されており、本実施形態においては、第一センサ部７１が頭部模型５０の回転角度（左右回転方向（図３（ｃ）のＲ１方向およびＲ２方向）の角度）を検知し、第二センサ部７２が頭部模型５０の上下角度（上下方向（図３（ｂ）のＺ１方向およびＺ２方向）の角度）を検知すべく構成されている。
【００５１】
なお、本実施形態においては、センサ部７１，７２として、角度センサを用いる場合について説明したが、本発明はこの構成に限定されず、適切に頭部模型５０の状態を検知可能であれば、如何なるセンサを用いてもよい。例えば、加速度センサ等を用いてもよい。
【００５２】
さて、本実施形態にかかる歯科実習装置１は、上述したように構成されており、実習者Ｈがこの歯科実習装置１を適切に使用すれば、その結果として、歯科実習時における技能の習得度や技能の評価を客観的に行うことが可能となる。以下、本実施形態にかかる歯科実習装置１の使用方法および作用効果等について説明する。
【００５３】
まず、本実施形態においては、歯科実習装置１に、歯顎部５１を有する頭部模型５０が設けられているため、実習者Ｈは、この頭部模型５０に対して治療行為（実習）を行う。この際、実習者Ｈが治療を行う基本的な位置は、頭部模型５０の頭頂部側（図２に示した実習者Ｈ（実線部）を参照）と、頭部模型５０の左部側（図２に示した実習者Ｈ（二点鎖線部）を参照）とがあり、本実施形態においては、二つのカメラ部２１，２２が設けられているため、いずれの位置で治療行為（実習）を行う場合であっても、実習者Ｈの治療状態を適切に撮影することが可能である。より具体的には、実習者Ｈの上方に設けられた第二カメラ部２２が、頭部模型５０の左部側に実習者Ｈが位置する場合でも、その治療状態を適切に撮影可能な位置（実習者Ｈの左側上方位置）に設けられている。
【００５４】
また、実習者Ｈは、必要に応じて、腕や肩の位置に複数のＬＥＤ等が装着されたケープ等を着た状態で実習を行うことが好ましい。このような構成であれば、録画された映像中のＬＥＤ等の位置によって、適切な治療行為を行っているかどうかの客観的な判断を行うことが可能となる。
【００５５】
実習者Ｈが頭部模型５０の歯顎部５１に対する治療を行う場合、主に行われる行為としては、（１）ペダル部１３を操作することによって頭部模型５０（上面板１０Ａ）の高さを調整すること、（２）実際に頭部模型５０を動かして、頭部模型５０の上下角度および回転角度を調整すること、（３）器具載置部１２の中から治療に使用する歯科治療器具を選択すること、が挙げられる。そして、本実施形態にかかる歯科実習装置１においては、上述した（１）〜（３）のいずれの行為を行う場合であっても、それぞれの行為に関する検知情報が電気的に評価手段３０（を構成するＰＣ本体部３１）に送られる。この際に送信される情報、および検知を行う装置等については、上述した通りである。
【００５６】
本実施形態においては、種々の情報が評価手段３０に送信されると、ＰＣ本体部３１にインストールされているソフトウエアを用いて、それらの情報（実習者Ｈが実習を行うことによって得られた検知信号）と、適切な治療を行った際の各種基準情報等との対比が行われる。つまり、本実施形態においては、これらの数値的な比較検討を経て、歯科実習時における技能の習得度や技能の評価の客観的な判断がなされることとなる。
【００５７】
以下、より具体的に作用効果を説明する。
【００５８】
本実施形態は、歯顎部５１を有する頭部模型５０と、頭部模型５０を取り付け可能な実習机１０（を成す上面板１０Ａ）とを備えた歯科実習装置１であって、頭部模型５０に、頭部模型５０の角度を検知可能なセンサ部７１，７２が設けられている。
【００５９】
このような構成によれば、実習者Ｈが、頭部模型５０の歯顎部５１に対して治療行為を行う際において、センサ部７１，７２からの検知信号を把握して、頭部模型５０に関する角度（すなわち、治療行為を受ける患者の頭部に関する角度）の情報を適宜得ることができる。したがって、このような構成によれば、治療時における患者の適切な角度情報（患者の頭部等の適切な角度に関する情報等）と、実習時における検知信号（角度情報）とを比較検討することによって、歯科実習時における技能の習得度や技能の評価を客観的に行うことができる。
【００６０】
また、本実施形態は、歯顎部５１を有する頭部模型５０と、頭部模型５０を取り付け可能な実習机１０（を成す上面板１０Ａ）とを備えた歯科実習装置１であって、頭部模型５０に設けられた、頭部模型５０の角度を検知可能なセンサ部７１，７２と、歯科治療器具を載置すると共に、歯科治療器具の使用状態を検知可能な器具載置部１２と、頭部模型５０と実習者Ｈとを撮影可能なカメラ部２１，２２とを有すべく構成されている。
【００６１】
このような構成によれば、実習者Ｈが、頭部模型５０の歯顎部５１に対して治療行為を行う際において、センサ部７１，７２からの検知信号を把握して、頭部模型５０に関する角度の情報を適宜得ることができる。したがって、このような構成によれば、治療時における患者の適切な角度情報と、実習時における角度情報とを比較検討することによって、歯科実習時における技能の習得度や技能の評価を客観的に行うことができる。
また、このような構成によれば、実習者Ｈが、頭部模型５０の歯顎部５１に対して治療行為を行う際において、器具載置部１２からの検知信号を把握して、実習者Ｈの使用している歯科治療器具に関する情報を適宜得ることができる。したがって、このような構成によれば、治療時における歯科治療器具の適切な使用情報（各種の治療時に使用すべき歯科治療器具に関する情報等）と、実習時における検知信号（器具載置部１２にて得られる使用器具情報）とを比較検討することによって、歯科実習時における技能の習得度や技能の評価を客観的に行うことができる。
さらに、このような構成によれば、頭部模型５０と実習者Ｈとを撮影可能なカメラ部２１，２２を有するため、実習時あるいは実習後において、頭部模型５０に対する実習者Ｈの治療行為に関する評価を、画像情報に基づいて客観的に行うことができる。
【００６２】
また、本実施形態にかかる歯科実習装置１においては、頭部模型５０に、それぞれ異なる方向の角度を検知する複数のセンサ部７１，７２（角度センサ）が設けられている。より具体的には、頭部模型５０の回転角度を検知する第一センサ部７１と、頭部模型５０の上下角度を検知する第二センサ部７２とが設けられている。
【００６３】
このような構成によれば、頭部模型５０の回転角度と頭部模型５０の上下角度とを、比較的簡単な構成に基づき、客観的に判断することが可能となる。
【００６４】
さらに、本実施形態にかかる歯科実習装置１においては、第二センサ部７２によって、頭部模型５０における上顎部と床面との角度が検知可能であるため、頭部模型５０における上顎部と下顎部とが固定された構成である場合には、床面に対する上顎部の角度と共に、床面（あるいは上顎部）に対する下顎部の角度を得ることができる。したがって、このような構成によれば、治療時における患者の適切な角度情報（患者の上顎部や下顎部の適切な角度に関する情報等）と、実習時における検知信号（上顎部や下顎部の角度情報）とを比較検討することによって、歯科実習時における技能の習得度や技能の評価を客観的に行うことができる。
【００６５】
＜第二実施形態＞
図４は、本発明の第二実施形態にかかる歯科実習装置を構成する頭部模型の概略図（頭部模型の右部側面図）を示したものである。この第二実施形態にかかる歯科実習装置の基本的な構成は、第一実施形態にかかる歯科実習装置と同様であり、この図４に示した頭部模型５０の構成のみが第一実施形態（の頭部模型５０）と異なる。そこで、以下においては、必要に応じて、図１から図３の図面を参照しつつ、第一実施形態と同様の構成に関する部分については、その説明を割愛する。
【００６６】
図４に示すように、本実施形態にかかる歯科実習装置を構成する頭部模型５０は、取付手段６０を介して、実習机の上面板１０Ａに取り付けられている。この取付手段６０は、上面板１０Ａに取り付け可能な第一取付部６１と、この第一取付部６１に固着された第二取付部６２と、この第二取付部６２に対して二方向に回動可能に構成された第三取付部６３と、この第三取付部６３と頭部模型５０とを連結可能に構成された第四取付部６４とを用いて構成されている。
【００６７】
本実施形態にかかる頭部模型５０は、歯顎部８１（上顎部８１Ａおよび下顎部８１Ｂ）を有しており、上述した取付手段６０を介して、上面板１０Ａに対し、上下方向（図４のＺ１方向およびＺ２方向）と左右回転方向（図３（ｃ）参照、図３（ｃ）のＲ１方向およびＲ２方向）とに回動可能に構成されている。頭部模型５０がこのように可動可能なのは、取付手段６０を構成する第三取付部６３が、第二取付部６２に対して二方向に回動し得るからである。具体的には、第三取付部６３の端部（第二取付部６２側の端部）が球形を有し、この球形端部６３Ａを支点として第三取付部６３が上下方向に回動すると共に、第三取付部６３の中心軸（長手方向中心軸）を中心として第三取付部６３が回動すべく、第三取付部６３（を構成する球形端部６３Ａ）が第二取付部６２に挟持されているからである。
【００６８】
また、上顎部８１Ａを有する頭部模型５０の下面側には、第一センサ部７１と第二センサ部７２とが設けられている。これらのセンサ部７１，７２は、角度センサを用いて構成されており、本実施形態においては、第一センサ部７１が頭部模型５０の回転角度（図３参照、左右回転方向（図３（ｃ）のＲ１方向およびＲ２方向）の角度）を検知し、第二センサ部７２（本発明の「上顎角度センサ部」に相当）が頭部模型５０（を構成する上顎部１５１Ａ）の床面に対する角度（上下方向（図４のＺ１方向およびＺ２方向）の角度）を検知すべく構成されている。
【００６９】
さらに、本実施形態にかかる頭部模型５０を構成する歯顎部８１は、上顎部８１Ａと、下顎部８１Ｂと、上顎部８１Ａに対して下顎部８１Ｂを上下方向（図４のＸ方向）に回動可能に連結した回動接合部８２等とを用いて構成されており、この回動接合部８２は、ヒンジ部８３を介して回動し得る構造となっている。また、このヒンジ部８３近傍には、上顎部８１Ａに対する下顎部８１Ｂの角度を検知可能なポテンショメータ８４（本発明の「下顎角度センサ部」に相当）が設けられている。
【００７０】
本実施形態においては、センサ部７１，７２として、角度センサを用いる場合について説明したが、本発明はこの構成に限定されず、適切に頭部模型５０の状態（具体的には、上顎部８１Ａの床面に対する角度等）を検知可能であれば、如何なるセンサを用いてもよい。例えば、加速度センサ等を用いてもよい。また、本実施形態においては、上顎部８１Ａに対する下顎部８１Ｂの角度を検知するための下顎角度センサ部として、ポテンショメータ８４を用いる場合について説明したが、本発明はこの構成に限定されず、適切に下顎部８１Ｂの角度を検知可能であれば、如何なるセンサを用いてもよい。例えば、ロータリーエンコーダ等を用いてもよい。
【００７１】
さて、本実施形態にかかる歯顎部８１を有する頭部模型５０は、上述したように構成されており、実習者がこの頭部模型５０を有する歯科実習装置を適切に使用すれば、その結果として、歯科実習時における技能の習得度や技能の評価を客観的に行うことが可能となる。以下、本実施形態にかかる歯科実習装置１の使用方法および作用効果等について説明する。
【００７２】
本実施形態にかかる歯顎部８１を有する歯科実習装置は、基本的に第一実施形態と同様の構成を有するため、第一実施形態と同様の使用方法にて実習を行うことによって、第一実施形態と同様の作用効果を得ることができる。
【００７３】
また、本実施形態にかかる歯科実習装置を構成する頭部模型５０の歯顎部８１は、図４に示すように、回動接合部８２を介して開閉可能（回動可能）に構成されている。そして、第二センサ部７２とポテンショメータ８３を用いることによって、床面に対する上顎部８１Ａの角度（マキシラアングル：床面と上顎咬合面との角度）と上顎部８１Ａに対する下顎部８１Ｂの角度（歯顎部８１の開口角度）を検知することができる。さらに、この床面に対する上顎部８１Ａの角度と上顎部８１Ａに対する下顎部８１Ｂの角度に基づいて、床面に対する下顎部８１Ｂの角度（マニデブルアングル：床面と下顎咬合面との角度）を得ることができる。
【００７４】
つまり、この第二実施形態にかかる歯科実習装置によれば、実習者が、頭部模型５０の歯顎部８１に対して治療行為を行う際において、口の開き具合に関する情報（上顎部８１Ａおよび下顎部８１Ｂに関する角度情報）を適宜得ることができる。したがって、このような構成によれば、治療時における患者の適切な角度情報（患者の頭部の適切な角度に関する情報、口の開き具合に関する情報等）と、実習時における検知信号（上顎部８１Ａおよび下顎部８１Ｂ等の角度に関する情報等）とを比較検討することによって、歯科実習時における技能の習得度や技能の評価を客観的に行うことができる。
【００７５】
従来技術にかかる歯科実習時（スケーリング実習時）においては、頭部の傾斜角度として、床面と上顎部との成す角度（マキシラアングル）の指標を用いて、頭部位置を指定している。上顎（マキシラ）の歯の治療を行う場合うには、このマキシラアングルの指定で問題ないが、下顎（マニデブル）の歯の治療を行う場合には、マキシラアングルの指定を行っても、口の開き具合により下顎部の角度が変化するため、的確な角度の指定が困難となる。
【００７６】
これに対して、本実施形態にかかる歯科実習装置によれば、上顎部８１Ａの角度情報に加えて、下顎部８１Ｂの角度情報をも得ることができるため（電気的信号として得ることができるため）、上顎部８１Ａ（上顎（マキシラ）の歯）の治療実習時および下顎部８１Ｂ（下顎（マニデブル）の歯）の治療実習時においても、より的確な評価を行うことができる。つまり、本実施形態によれば、上顎部８１Ａおよび下顎部８１Ｂの角度情報を検知すると共にこれらの情報を比較検討することによって、マキシラアングルのみに頼った評価ではなく、より詳細且つ客観的な技能評価等を行うことができる。
【００７７】
＜第三実施形態＞
図５は、本発明の第三実施形態にかかる歯科実習装置を構成する頭部模型の概略図（頭部模型の右部側面図）を示したものである。この第三実施形態にかかる歯科実習装置の基本的な構成は、第一実施形態および第二実施形態にかかる歯科実習装置と同様であり、この図５に示した頭部模型５０の構成のみが上記各実施形態（の頭部模型５０）と異なる。そこで、以下においては、必要に応じて、図１から図４の図面を参照しつつ、第一実施形態と同様の構成に関する部分については、その説明を割愛する。
【００７８】
図５に示すように、本実施形態にかかる歯科実習装置を構成する頭部模型５０は、取付手段６０を介して、実習机の上面板１０Ａに取り付けられている。この取付手段６０は、上面板１０Ａに取り付け可能な第一取付部６１と、この第一取付部６１に固着された第二取付部６２と、この第二取付部６２に対して二方向に回動可能に構成された第三取付部６３と、この第三取付部６３と頭部模型５０とを連結可能に構成された第四取付部６４とを用いて構成されている。
【００７９】
本実施形態にかかる頭部模型５０は、歯顎部９１（上顎部９１Ａおよび下顎部９１Ｂ）を有しており、上述した取付手段６０を介して、上面板１０Ａに対し、上下方向（図５のＺ１方向およびＺ２方向）と左右回転方向（図３（ｃ）参照、図３（ｃ）のＲ１方向およびＲ２方向）とに回動可能に構成されている。頭部模型５０がこのように可動可能なのは、取付手段６０を構成する第三取付部６３が、第二取付部６２に対して二方向に回動し得るからである。具体的には、第三取付部６３の端部（第二取付部６２側の端部）が球形を有し、この球形端部６３Ａを支点として第三取付部６３が上下方向に回動すると共に、第三取付部６３の中心軸（長手方向中心軸）を中心として第三取付部６３が回動すべく、第三取付部６３（を構成する球形端部６３Ａ）が第二取付部６２に挟持されているからである。
【００８０】
また、上顎部9１Ａを有する頭部模型５０の下面側には、第一センサ部７１と第二センサ部７２とが設けられている。これらのセンサ部７１，７２は、角度センサを用いて構成されており、本実施形態においては、第一センサ部７１が頭部模型５０の回転角度（図３参照、左右回転方向（図３（ｃ）のＲ１方向およびＲ２方向）の角度）を検知し、第二センサ部７２（本発明の「上顎角度センサ部」に相当）が頭部模型５０（を構成する上顎部１５１Ａ）の床面に対する角度（上下方向（図５のＺ１方向およびＺ２方向）の角度）を検知すべく構成されている。
【００８１】
さらに、本実施形態にかかる頭部模型５０を構成する歯顎部９１は、上顎部９１Ａと、下顎部９１Ｂと、上顎部９１Ａに対して下顎部９１Ｂを上下方向（図５のＸ方向）に回動可能に連結した回動接合部９２等とを用いて構成されており、この回動接合部９２は、ヒンジ部９３を介して回動し得る構造となっている。
【００８２】
本実施形態にかかる歯科実習装置においては、上述のように、上顎部９１Ａに対して下顎部９１Ｂが回動可能に構成されているため、歯顎部９１の開口角度が適宜変化する。そこで、本実施形態においては、この歯顎部９１の開口状態（開口角度θ、図５参照）を適宜検知するために、上顎部９１Ａと下顎部９１Ｂとの開口距離Ｌを適宜測定すべく構成されている。具体的には、例えば、第一カメラ部２１（図１参照）にて得られる画像から開口距離Ｌを測定し、この開口距離Ｌと、上顎部距離Ｌ１（上顎部９１Ａ端部とヒンジ部９３との距離）と、下顎部距離Ｌ２（下顎部９１Ｂ端部とヒンジ部９３との距離）とに基づいて、開口角度θを演算することができる。
【００８３】
開口距離Ｌ、上顎部距離Ｌ１、および下顎部距離Ｌ２を用いて、開口角度θを演算するための演算式は、以下の通りである。
【００８４】
開口距離Ｌ、上顎部距離Ｌ１、および下顎部距離Ｌ２にて形成される三角形の面積Ａ１は、次の式にて表すことができる。
Ａ１＝ｓｑｒｔ（Ｓ×（Ｓ−Ｌ）×（Ｓ−Ｌ１）×（Ｓ−Ｌ２））
ここで、Ｓは、「Ｓ＝（Ｌ＋Ｌ１＋Ｌ２）／２」である。
【００８５】
また、開口距離Ｌ、上顎部距離Ｌ１、および下顎部距離Ｌ２にて形成される三角形の面積Ａ２は、開口角度θに基づき、次の式にて表すことができる。
Ａ２＝Ｌ１×Ｌ２×ｓｉｎ（θ）／２
【００８６】
三角形の面積Ａは、「Ａ＝Ａ１＝Ａ２」であり、上顎部距離Ｌ１および下顎部距離Ｌ２は既知である。したがって、開口距離Ｌを画像処理に基づいて測定することにより、上記三角形に関する二つの連立方程式を解くことが可能となるため、以下の式に示すように、開口角度θを演算することができる。
θ＝ａｒｃｓｉｎ（２×Ａ／（Ｌ１×Ｌ２））
【００８７】
以上のように、本実施形態においては、第一カメラ部２１にて得られた画像に基づき、歯顎部９１の開口角度θ（上顎部９１Ａに対する下顎部９１Ｂの角度）を得ることができる。このことから、本実施形態においては、第一カメラ部２１が「下顎角度センサ部」として機能することとなる。より詳細には、この第一カメラ部２１と、第一カメラ部２１からの情報に基づいて開口距離Ｌや開口角度θを演算するＰＣ本体部３１（図１参照）等とが、「下顎角度センサ部」として機能することとなる。
【００８８】
ところで、本実施形態においては、センサ部７１，７２として、角度センサを用いる場合について説明したが、本発明はこの構成に限定されず、第一および第二実施形態と同様に、適切に頭部模型５０の状態（具体的には、上顎部９１Ａの床面に対する角度等）を検知可能であれば、如何なるセンサを用いてもよい。例えば、加速度センサ等を用いてもよい。また、本実施形態においては、上顎部９１Ａに対する下顎部９１Ｂの角度を検知するための下顎角度センサ部として、第一カメラ部２１（図１参照）等を用いる場合について説明したが、本発明はこの構成に限定されず、適切に下顎部９１Ｂの角度（開口距離Ｌ）を検知可能であれば、如何なる装置を用いてもよい。
【００８９】
さて、本実施形態にかかる歯顎部９１を有する頭部模型５０は、上述したように構成されており、実習者がこの頭部模型５０を有する歯科実習装置を適切に使用すれば、その結果として、歯科実習時における技能の習得度や技能の評価を客観的に行うことが可能となる。以下、本実施形態にかかる歯科実習装置１の使用方法および作用効果等について説明する。
【００９０】
本実施形態にかかる歯顎部９１を有する歯科実習装置は、基本的に第一実施形態および第二実施形態と同様の構成を有するため、これらの実施形態と同様の使用方法にて実習を行うことによって、同様の作用効果を得ることができる。
【００９１】
また、本実施形態にかかる歯科実習装置を構成する頭部模型５０の歯顎部９１は、図５に示すように、回動接合部９２を介して開閉可能（回動可能）に構成されている。そして、第二センサ部７２と第一カメラ部２１等を用いることによって、床面に対する上顎部９１Ａの角度（マキシラアングル：床面と上顎咬合面との角度）と上顎部９１Ａに対する下顎部９１Ｂの角度（歯顎部９１の開口角度θ）を検知することができる。さらに、この床面に対する上顎部９１Ａの角度と開口角度θに基づいて、床面に対する下顎部９１Ｂの角度（マニデブルアングル：床面と下顎咬合面との角度）を得ることができる。
【００９２】
つまり、この第三実施形態にかかる歯科実習装置によれば、第二実施形態と同様に、実習者が、頭部模型５０の歯顎部９１に対して治療行為を行う際において、口の開き具合に関する情報（上顎部９１Ａおよび下顎部９１Ｂに関する角度情報）を適宜得ることができる。したがって、このような構成によれば、治療時における患者の適切な角度情報（患者の頭部の適切な角度に関する情報、口の開き具合に関する情報等）と、実習時における検知信号（上顎部９１Ａおよび下顎部９１Ｂ等の角度に関する情報等）とを比較検討することによって、歯科実習時における技能の習得度や技能の評価を客観的に行うことができる。
【００９３】
第二実施形態でも述べた通り、従来は、マキシラアングルのみの指標に基づいて、目視等にて上顎治療時および下顎治療時の評価を行っているが、本実施形態によれば、上顎部９１Ａの角度情報に加えて、下顎部９１Ｂの角度情報をも得ることができるため（電気的信号として得ることができるため）、上顎部９１Ａ（上顎（マキシラ）の歯）の治療実習時および下顎部９１Ｂ（下顎（マニデブル）の歯）の治療実習時においても、より的確な評価を行うことができる。すなわち、本実施形態によれば、上顎部９１Ａおよび下顎部９１Ｂの角度情報を検知すると共にこれらの情報を比較検討することによって、マキシラアングルのみに頼った評価ではなく、より詳細且つ客観的な技能評価等を行うことができる。
【００９４】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００９５】
上記実施形態においては、複数のセンサ部７１，７２を有する頭部模型５０が実習机１０に取り付けられた構成の歯科実習装置１について説明したが、本発明はこの構成に限定されない。したがって、例えば、図６に示すように、センサ部７１，７２を有する頭部模型５０を人体模型１００（本発明の「被取付部」に相当）に取り付けるような構成の歯科実習装置１としてもよい。
なお、この図６においては、図面の煩雑化を避けるために、上述した実施形態にて説明した種々の構成要素の記載を省略した。したがって、当然のことながら、この図６に示した歯科実習装置１も、カメラ部２１，２２、評価手段３０等の本発明に必須の構成要素は有している。また、この図６において、図１等と同一の符号を付した構成要素は、図面上（構造上）若干の相違があっても、基本的に同様の機能を有するものとする。
【００９６】
また、上記実施形態においては、頭部模型５０にセンサ部７１，７２を設けた構成について説明したが、本発明はこの構成に限定されず、治療時における患者の適切な角度等を判断可能な箇所であれば、どのような箇所にセンサ部を設けてもよい。したがって、例えば、図６に示した治療用シート２００の適切な箇所（客観的な判断に使用可能な角度を検知可能な箇所）に、センサ部７１，７２を設けるような構成としてもよい。当然のことながら、三つ以上のセンサ部を設ける構成としてもよい。
【００９７】
さらに、頭部模型５０、人体模型１００、および治療用シート２００のいずれにも、一つあるいは二つ以上のセンサ部（角度を検知可能なセンサ部）を設けるような構成としてもよい。
【００９８】
また、上記実施形態においては、ＰＣモニタ部３２の使用方法等を特に説明しなかったが、本実施形態にかかる歯科実習装置を構成するＰＣモニタ部３２は、実習者の評価を行う際、あるいはその事前準備の際において、適宜使用可能である。
【００９９】
例えば、従来技術にかかるマネキンを使用したシミュレーション実習においては、マネキンの頭部角度の表示は、実際のマネキンの回転駆動部近傍に設けられた目盛り等にてなされている。よって、実習者は、その目盛り等を目視にて確認しつつ、実習を行っているわけであるが、この目盛り等の確認を行うためには、実習時と異なる姿勢等をとる必要が生じ、適切な実習およびその評価を行うことが困難となる。
【０１００】
本実施形態にかかる歯科実習装置であれば、上記問題点を解決することができる。具体的には、本実施形態にかかる歯科実習装置は、実習者の見やすい位置にＰＣモニタ部３２を配置することが可能であるため、このＰＣモニタ部３２に必要は情報（例えば、実習時の頭部角度情報（現在の角度情報）と適切な頭部角度情報（模範となる角度情報）等）を表示させることによって、より良い実習効果が期待できる。
【０１０１】
当然のことながら、ＰＣモニタ部３２に表示させる情報は、これらの情報に限定されず、必要に応じて、姿勢情報や使用スケーラ種類情報等を表示してもよい。この表示される情報としては、実習者の現在の情報のみを表示してもよいし、模範となる情報（適切な角度情報等）のみを表示してもよいし、「現在の情報」と「模範となる情報」との両方を比較する形で表示してもよい。
【産業上の利用可能性】
【０１０２】
これまでの技術においては、歯科実習における技能の習得度や技能の評価について、客観的な評価の実現が望まれているものの、それを具現化する方法や装置は、開示されていなかった。
しかしながら、本発明にかかる歯科実習装置によれば、上述した実施形態等に示した具体的な構成を有することによって、歯科実習時における技能の習得度や技能の評価を客観的に行うことが可能となった。すなわち、本発明によれば、歯科実習の現場において、非常に効率的に実習生等の技能の習得度を高めることができる、歯科実習装置を得ることが可能となった。
【符号の説明】
【０１０３】
１…歯科実習装置
１０…実習机
１０Ａ…上面板
１１…支持棒部
１２…器具載置部
１３…ペダル部
１４…実習椅子
２１…第一カメラ部
２２…第二カメラ部
３０…評価手段（パーソナルコンピュータ（ＰＣ））
３１…ＰＣ本体部
３２…ＰＣモニタ部
３３…ＰＣキーボード部
５０…頭部模型
５１…歯顎部
６０…取付手段
６１…第一取付部
６２…第二取付部
６３…第三取付部
６３Ａ…球形端部
６４…第四取付部
７１…第一センサ部
７２…第二センサ部
８１…歯顎部
８１Ａ…上顎部
８１Ｂ…下顎部
８２…回動接合部
８３…ヒンジ部
８４…ポテンショメータ（下顎角度センサ部）
９１…歯顎部
９１Ａ…上顎部
９１Ｂ…下顎部
９２…回動接合部
９３…ヒンジ部
１００…人体模型
２００…治療用シート
【図１】
2010231167.tif 000003
【図２】
2010231167.tif 000004
【図３】
2010231167.tif 000005
【図４】
2010231167.tif 000006
【図５】
2010231167.tif 000007
【図６】
2010231167.tif 000008